(57)【要約】【課題】電動モータの給電端子に対する給電用リード線の接続を、面倒な溶接やはんだ付け等を必要とすることなく、ケース内で簡便に、しかも優れた耐久性と信頼性をもって行うことが出来る、改良された構造の洗濯機用電動モータ内蔵ケースを提供すること。【解決手段】電動モータ１２における給電端子２２を小片板状として差入溝７６を設け、該差入溝７６の溝幅を基端部側で狭幅とすると共に先端部側で広幅とする一方、ケース本体２６に一体的に突出形成した端子カバー部４２内で、該給電端子２２の差入溝７６にリード線２４を差し入れて、ケース蓋体２８に一体形成した押圧部４４でリード線２４を押圧して給電端子２２の差入溝７６に差し入れることにより、リード線２４の絶縁層に給電端子を切れ込ませて、リード線２４を給電端子２２に導通させると共に、該リード線２４を端子カバー部４２と押圧部４４の間で挟圧保持せしめた。【選択図】　図１１
2004141567.tif 000002
【特許請求の範囲】
【請求項１】
開口箱体形状のケース本体に電動モータを収容すると共に、該ケース本体にケース蓋体を重ね合わせて固定し、該ケース本体の開口を該ケース蓋体で覆蓋することにより該電動モータを内蔵せしめ、更に該電動モータに設けられた複数の給電端子に対してそれぞれ絶縁層で被覆したリード線を接続して、それらリード線をケース外部に延び出させた略閉塞構造の洗濯機用電動モータ内蔵ケースであって、
前記電動モータにおける前記給電端子を小片板状として該給電端子の突出先端部から基端部に向かって切れ込む差入溝を設け、該差入溝の溝幅を該給電端子の突出方向で変化させて該給電端子の基端部側を狭幅とすると共に先端部側を広幅とする一方、前記ケース本体を部分的に外周側に突出させて端子カバー部を該ケース本体に一体形成し、該端子カバー部内において該電動モータの該給電端子を該ケース本体の開口側に向かって突出位置せしめて、該給電端子の該差入溝を該ケース本体の開口側に向かって開口させると共に、前記ケース蓋体を部分的に外周側に突出させて該ケース本体への重ね合わせにより該端子カバー部に嵌め込まれる押圧部を該ケース蓋体に一体形成し、該端子カバー部に突出位置せしめられた該給電端子の板厚方向両側で該押圧部に向かって突出する一対の押圧突片を該押圧部に一体形成して、該ケース本体に該ケース蓋体を重ね合わせるに際して、前記リード線の接続側端部を該一対の押圧突片で該給電端子の該差入溝に押し入れることにより、該リード線の前記絶縁層に該給電端子における該差入溝の両縁を切れ込ませて該リード線を該給電端子に導通させると共に、該リード線の接続側端部を該押圧突片の突出先端面と該端子カバー部との間で挟圧保持せしめ、更に該リード線を該端子カバー部内で略直角に屈曲させて該端子カバー部の開口方向に向かって該端子カバー部からケース外部に延び出させたことを特徴とする洗濯機用電動モータ内蔵ケース。
【請求項２】
前記ケース本体の前記端子カバー部と、前記ケース蓋体の前記押圧部とを、重ね合わせ方向で相互に直接に固着する固着手段を設けた請求項１に記載の洗濯機用電動モータ内蔵ケース。
【請求項３】
前記リード線の接続側端部を挟圧保持する前記押圧突片の突出先端面と前記端子カバー部との少なくとも一方の対向面において、該リード線の中心線に対して略直角な方向に延びる係止爪を突設し、該係止爪を該リード線の前記絶縁層に食い込ませた請求項１又は２に記載の洗濯機用電動モータ内蔵ケース。
【請求項４】
前記押圧部の外周縁部に切欠部を設けて、該切欠部と前記端子カバー部の間に、前記リード線が挿通せしめられる挿通孔を形成することにより、該リード線のケース外部への取出部位において該リード線を位置決めした請求項１乃至３の何れかに記載の洗濯機用電動モータ内蔵ケース。
【請求項５】
前記端子カバー部が略鉛直下方に開口して、前記リード線が該端子カバー部から略鉛直下方に延び出す状態で洗濯機本体に装着されるようにした請求項１乃至４の何れかに記載の洗濯機用電動モータ内蔵ケース。
【発明の詳細な説明】
【０００１】
【技術分野】
本発明は、洗濯機に装着されて用いられる電動モータ内蔵ケースに係り、例えば洗濯槽の排水弁を開閉駆動する駆動モータ内蔵ケースや、タイマスイッチの駆動モータ内蔵ケース等に適用され得るものである。
【０００２】
【背景技術】
洗濯機（全自動洗濯機や二槽式洗濯機等の各種洗濯機を含む。以下、同じ。）には、例えば洗濯槽の排水弁を開閉駆動したり制御用タイマスイッチを駆動したりするために、小型の電動モータが装備される。また、このような電動モータは、一般に、開口箱体形状のケース本体の開口をケース蓋体で覆蓋することにより略閉塞構造としたケースに収容されて、必要に応じて適当な歯車機構等を組み込んだアッセンブリとしての電動モータ内蔵ケースとして提供されて、洗濯機本体に装着される。
【０００３】
ところで、洗濯機は、さまざまな温度や湿度等の条件下で殆ど毎日複数回使用されるものであり、そのような過酷な使用条件下において、洗濯機には、安全で且つ安定した作動が要求される。そこで、例えば特許文献１に示されているように、上述の如き電動モータも、ケースに収容することで保護しているだけでなく、更に、多くの場合、電動モータの給電端子に対するリード線の接続をケース内部で行い、ケース外には、絶縁層で被覆したリード線だけが延び出すようにして、通電材の外部への直接の露出を防止し、通電材への水の接触による漏電等の問題に対する対策が講じられている。
【０００４】
【特許文献１】
特開２００２−２６２５１２号公報
【０００５】
ところが、従来構造の洗濯機用モータ内蔵ケースにおいては、電動モータの給電端子に対してリード線をハンダ付けで接合していたことから、ハンダ付けに際しての条件や作業者の能力等によって接合状態が安定し難く、ハンダ付け後における接合部の検査に手間がかかることに加えて、ソルダやフラックスの飛散が他部材の作動不良や絶縁不良等の原因となるおそれもあった。
【０００６】
また、電動モータの給電端子に対するリード線の接合をスポット溶接で行うことも検討されているが、給電端子とリード線の接合部が狭いことに加えて一般にリード線は多線の撚り線であることから専用のジグを備えた溶接装置が必要であり、設備投資がかさむと共に、接合時に発生するスポット飛散が原因となって絶縁不良やトラッキングが発生するおそれもあったのである。
【０００７】
さらに、ハンダ付けとスポット溶接の何れの手法でも、電動モータの給電端子にリード線を接合せしめた後、リード線はかかる接合部位の一点だけで給電端子に固定されているに過ぎないことから、電動モータをケース本体に組み付けたり、ケース本体にケース蓋体を組み付けるに際して、或いは、組み上げた電動モータ内蔵ケースを洗濯機本体に取り付けるに際して、リード線に及ぼされる外力が給電端子との接合部に集中的に作用して、接合後にクラック等の導通不良が発生するおそれもあった。
【０００８】
しかも、電動モータ内蔵ケースを洗濯機本体に取り付けた後でも、洗濯や脱水に際して洗濯機に生ぜしめられる大きな振動による加振力が、電動モータの給電端子とリード線の接合部位に集中的に及ぼされることによって、かかる接合部にクラック等の導通不良が発赤するおそれもあったのである。
【０００９】
【解決課題】
ここにおいて、本発明は、上述の如き事情を背景として為されたものであって、その解決課題とするところは、洗濯機に用いられる電動モータ内蔵ケースにおいて、電動モータの給電端子に対する給電用リード線の接続を、ケース内で簡便に、しかも優れた耐久性と信頼性をもって行うことの出来る、新規な構造の洗濯機用電動モータ内蔵ケースを提供することにある。
【００１０】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１１】
（本発明の態様１）
本発明の態様１は、開口箱体形状のケース本体に電動モータを収容すると共に、該ケース本体にケース蓋体を重ね合わせて固定し、該ケース本体の開口を該ケース蓋体で覆蓋することにより該電動モータを内蔵せしめ、更に該電動モータに設けられた複数の給電端子に対してそれぞれ絶縁層で被覆したリード線を接続して、それらリード線をケース外部に延び出させた略閉塞構造の洗濯機用電動モータ内蔵ケースであって、前記電動モータにおける前記給電端子を小片板状として該給電端子の突出先端部から基端部に向かって切れ込む差入溝を設け、該差入溝の溝幅を該給電端子の突出方向で変化させて該給電端子の基端部側を狭幅とすると共に先端部側を広幅とする一方、前記ケース本体を部分的に外周側に突出させて端子カバー部を該ケース本体に一体形成し、該端子カバー部内において該電動モータの該給電端子を該ケース本体の開口側に向かって突出位置せしめて、該給電端子の該差入溝を該ケース本体の開口側に向かって開口させると共に、前記ケース蓋体を部分的に外周側に突出させて該ケース本体への重ね合わせにより該端子カバー部に嵌め込まれる押圧部を該ケース蓋体に一体形成し、該端子カバー部に突出位置せしめられた該給電端子の板厚方向両側で該押圧部に向かって突出する一対の押圧突片を該押圧部に一体形成して、該ケース本体に該ケース蓋体を重ね合わせるに際して、前記リード線の接続側端部を該一対の押圧突片で該給電端子の該差入溝に押し入れることにより、該リード線の前記絶縁層に該給電端子における該差入溝の両縁を切れ込ませて該リード線を該給電端子に導通させると共に、該リード線の接続側端部を該押圧突片の突出先端面と該端子カバー部との間で挟圧保持せしめ、更に該リード線を該端子カバー部内で略直角に屈曲させて該端子カバー部の開口方向に向かって該端子カバー部からケース外部に延び出させたことを、特徴とする。
【００１２】
このような本態様においては、リード線の太さと給電端子の差入溝の幅寸法を適当に設定することにより、電動モータを収容せしめたケース本体に対してリード線を位置決めした後、ケース蓋体を組み合わせるだけの簡単な組み立て作業により、はんだ付けや溶接等の特別な作業や特別な加工装置を必要とすることなく、リード線と給電端子の安定した接合状態が実現され得ることとなる。しかも、リード線の給電端子への電気接続に際して、従来のはんだ付けやスポット溶接のように高熱処理を必要としないことから、リード線の絶縁層の溶融等に起因する短絡等が防止されて絶縁性が高度に維持され得る。勿論、リード線と給電端子の接続部位は端子カバー部内に位置せしめられることから、外部からの直接的な水の接触も回避され得る。また、リード線と給電端子の接続部位を覆う端子カバー部は、ケース本体とケース蓋体に一体形成されることから、端子カバー部の部材強度を容易に確保することが出来る。
【００１３】
しかも、リード線と給電端子の接続部位を覆う端子カバー部が、ケース本体とケース蓋体に一体形成されることから、本発明を適用するに際して特別な部品点数の増加や製造設備の追加が必要なく、本発明の実用化が容易であることも、本発明における産業上の大きな利点である。
【００１４】
また、特に本態様に従う構造においては、リード線が、給電端子への接続部位よりも外方において、絶縁層で被覆された部分を、押圧突片と端子カバー部の間で挟持されていると共に、それより更に外方で略直角に屈曲させられて端子カバー部と押圧部の間で保持されていることから、リード線の耐抜け力が充分に大きく確保され得ることに加えて、リード線に及ぼされる外力がケースに逃がされて、リード線と給電端子との接続部位への外力の作用が軽減乃至は回避され得るのであり、それによって、かかるリード線と給電端子の接続部位において一層優れた耐久性と信頼性が実現され得るのである。
【００１５】
（本発明の態様２）
本発明の態様２は、前記態様１に係る洗濯機用電動モータ内蔵ケースにおいて、前記ケース本体の前記端子カバー部と、前記ケース蓋体の前記押圧部とを、重ね合わせ方向で相互に直接に固着する固着手段を設けたことを、特徴とする。このような本態様においては、端子カバー部と押圧部の重ね合わせ部位に対して直接に固着手段による固着力が及ぼされることにより、端子カバー部と押圧部の重ね合わせ方向の力を、一層強固に確実に得ることが出来るのであり、それ故、リード線を給電端子に対してより確実に電気接続し、且つ強固に固着せしめることが可能となる。なお、固着手段は、例えば凹凸構造による係止機構や、溶着、接着等も採用可能であるが、ボルトや螺子による連結機構を採用することにより、一層大きな固着力を確実に得ることが可能となる。
【００１６】
（本発明の態様３）
本発明の態様３は、前記態様１又は２に係る洗濯機用電動モータ内蔵ケースにおいて、前記リード線の接続側端部を挟圧保持する前記押圧突片の突出先端面と前記端子カバー部との少なくとも一方の対向面において、該リード線の中心線に対して略直角な方向に延びる係止爪を突設し、該係止爪を該リード線の前記絶縁層に食い込ませたことを、特徴とする。このような本態様においては、係止爪のリード線の絶縁層に対する食い込みによる機械的な係止作用に基づいて、リード線の保持力を一層強固に得ることが可能となると共に、リード線の給電端子への固着部位に対する作用を抑えて電気的な破断を一層有利に防止することが可能となる。
【００１７】
（本発明の態様４）
本発明の態様４は、前記態様１乃至３の何れかに係る洗濯機用電動モータ内蔵ケースにおいて、前記押圧部の外周縁部に切欠部を設けて、該切欠部と前記端子カバー部の間に、前記リード線が挿通せしめられる挿通孔を形成することにより、該リード線のケース外部への取出部位において該リード線を位置決めしたことを、特徴とする。このような本態様においては、ケース本体とケース蓋体を組み合わせる際の作業性が向上され得る。
【００１８】
（本発明の態様５）
本発明の態様５は、前記態様１〜４の何れかに係る洗濯機用電動モータ内蔵ケースにおいて、前記端子カバー部が略鉛直下方に開口して、前記リード線が該端子カバー部から略鉛直下方に延び出す状態で洗濯機本体に装着されるようにしたことを、特徴とする。このような本態様においては、リード線の絶縁層が除かれて給電端子に接続された部位に対して、外部から水が飛散して直接に付着したり、リード線を伝って入り込むようなことが、一層有利に防止され得るのである。
【００１９】
【発明の実施形態】
以下、本発明を更に具体的に明らかにするために、本発明の実施形態について、図面を参照しつつ、詳細に説明する。
【００２０】
先ず、図１〜４には、本発明に従う洗濯機用電動モータ内蔵ケースの一実施形態としてのギヤードモータが示されている。このギヤードモータは、洗濯機に取り付けられて、洗濯槽の排水弁を開閉駆動するものであり、内部構造を示す図５に記載の如く、全体として中空の矩形箱体形状を有するケース１０内に、電動モータ１２と歯車減速機構１４とクラッチ機構１６と出力部材としてのプーリ１８が、何れも収容状態で組み込まれており、電動モータ１２の回転駆動力を、歯車減速機構１４とクラッチ機構１６を介してプーリ１８に伝達することにより、プーリ１８に巻き掛けられた弁体駆動ワイヤ２０を、クラッチ機構１６の継断制御に基づいて駆動せしめるようになっている。
【００２１】
なお、本発明は、このようなギヤードモータにおいて、図６に示されているように、電動モータ１２に設けられた給電用端子２２，２２に対して、外部からケース１０内に引き込まれたリード線２４，２４を接続せしめる構造を大きな特徴とするものであって、電動モータ１２によるプーリ１８の駆動機構等の動力伝達構造や制御構造は、従来から公知の各種のものが適宜に採用可能であることから、ここでは、それらの詳細な説明を割愛する。また、以下の説明中、上下方向とは、後述する装着した状態での鉛直上下方向と反対となるが、説明を容易とするために、原則として図３，４，６中の上下方向をいうものとする。
【００２２】
より詳細には、本実施形態のギヤードモータにおいては、ケース１０が、ケース本体２６とケース蓋体２８によって構成されている。ケース本体２６は、図７〜８に示されているように、全体として上方に開口した矩形の箱体形状を有しており、幅方向両側の壁部から外方に突設された一対の取付片３０，３０によって、図示しない洗濯機本体に固定されるようになっている。このケース本体２６の底部中央には、略円形の収容凹所３２が形成されており、この収容凹所３２に対して、別途準備された電動モータ１２が嵌め込まれて組み付けられるようになっいる。
【００２３】
一方、ケース蓋体２８は、図９〜１０に示されているように、全体として下方に開口した矩形の箱体形状を有している。そして、これらケース本体２６とケース蓋体２８は、それぞれの開口部側において上下方向で重ね合わされることにより、各周壁部の開口端縁部が略全周に亘って相互に組み合わされている。これにより、ケース本体２６とケース蓋体２８が、各開口部を相手側で覆蓋されるようにして組み合わされており、以て、ケース本体２６とケース蓋体２８の両方の中空内部によって全体として一つのケース内空間が形成されている。
【００２４】
なお、ケース本体２６とケース蓋体２８の各底壁部の内面には、それぞれ複数の支持穴や支持突起が形成されており、それらケース本体２６とケース蓋体２８で協働して、多数の歯車軸を支持せしめること等によって、図５に示されている如き前述の歯車減速機構１４やクラッチ機構１６，プーリ１８等からなる作動機構を、ケース内部に構成するようになっている。また、ケース本体２６とケース蓋体２８の間には、それらを上述の如き重ね合わせ状態で相互に固定せしめるために、複数のねじ止め部３４や、係合突起３６と係合片３８からなる係合機構などが設けられている。
【００２５】
そして、かくの如きケース本体２６とケース蓋体２８からなるケース１０には、その長手方向一方の端部に突出して、端子接合部４０が設けられており、この端子接合部４０内において、ケース１０内に収容配置された電動モータ１２の給電用端子２２，２２に対するリード線２４，２４の接続が行われている。
【００２６】
より詳細には、かかる端子接合部４０は、図１１にも示されているように、ケース本体２６に設けられた端子カバー部４２と、ケース蓋体２８に設けられた押圧部４４によって協働して構成されている。端子カバー部４２は、図６，７，１１に示されているように、ケース本体２６の長手方向一端側の周壁部が周方向の中央部分において外方に矩形状に突出せしめられた如き構造とされており、矩形の底部４６の外周縁部に周壁部４８が一体的に立設形成されて上方に向かって開口せしめられている。なお、端子カバー部４２の深さ寸法は、ケース本体２６の深さ寸法よりと略同じで、電動モータ１２が収容された収容凹所３２よりは浅底とされていると共に、周壁部４８の周方向両端縁部は、ケース本体２６の周壁部５０に連接されている。
【００２７】
また、端子カバー部４２の底部４６の内面には、ねじ穴を備えた螺着部５２が中央部分に一体形成されていると共に、該螺着部５２を挟んだ幅方向（図７中の上下方向）両側に一対の支持受台５４，５４が突設されている。かかる支持受台５４は、底部４６の外方端縁部からケース本体２６内に向かって延び出しており、ケース本体２６側の延出端部分に対して、電動モータ１２に突設された給電用端子２２が重ね合わされるようになっている。また、支持受台５４の延び出し方向の中間部分には、底部４６からの突出高さが大きくされた挟圧部５６が形成されており、この挟圧部５６が、支持受台５４の延び出し方向に対して直交する方向（図７中の上下方向）の両側に向かって、それぞれ支持受台５４から突出せしめられていると共に、支持受台５４の延び出し方向に対して直交する方向に延びる一対の先細状の係止爪５８，５８を、その上面に備えている。なお、各支持受台５４の延び出し基端部分には、端子カバー部４２の周壁部４８の内面から一対の保持部６０，６０が、支持受台５４を両側から挟んだ位置に突設されている。
【００２８】
一方、押圧部４４は、図６，９，１０，１１に示されているように、ケース蓋体２８の長手方向一端側において、周壁部６２の開口側端縁部から外方に矩形板形状をもって一体的に突設されており、かかる押圧部４４の外形寸法は、ケース本体２６に突設された端子カバー部４２よりも一回り小さくされて、端子カバー部４２に入り込むようになっている。
【００２９】
また、押圧部４４には、略中央部分にねじ挿通孔６４が設けられていると共に、該ねじ挿通孔６４を挟んだ幅方向（図９中の上下方向）両側には、それぞれ、一対の押圧突片６６，６８が突設されている。かかる一対の押圧突片６６，６８は、ケース蓋体２８からの押圧部４４の突出方向で互いに所定距離を隔てて離隔位置せしめられており、それぞれ、押圧部４４から、ケース蓋体２８の開口方向に向かって所定高さで突設する略矩形断面の柱構造とされている。なお、押圧部４４のケース蓋体２８からの突出方向先端縁部には、一対の切欠部７０，７０が形成されている。
【００３０】
そして、ケース本体２６にケース蓋体２８が重ね合わされて相互に組み合わされることにより、端子カバー部４２に押圧部４４が嵌め込まれ、押圧部４４のねじ挿通孔６４に挿通される固着手段としての固定ねじ７２が端子カバー部４２の螺着部５２に螺着されることにより、端子カバー部４２と押圧部４４が、重ね合わせ方向の固着力を及ぼされた状態で、相互に直接に固定されている。
【００３１】
また、かくの如く端子カバー部４２に押圧部４４を嵌め込む前に、図１１に示されているように、端子カバー部４２に対して、別途準備した給電用のリード線２４，２４がセットされる。これらのリード線２４，２４は、端子カバー部４２に設けられた支持受台５４，５４上に載置された状態でセットされ、しかも、リード線２４，２４の先端部分が、支持受台５４，５４上に支持された電動モータ１２の給電用端子２２，２２に対して係合せしめられる。なお、給電用のリード線２４は、周知の如く、銅細線等からなる多数本の電線を束ねて、周囲を筒状の絶縁層で被覆せしめた構造とされている。
【００３２】
すなわち、電動モータ１２の給電用端子２２，２２は、何れも、略小片板形状を有しており、図１１に示されているように、電動モータ１２の筐体７４から僅かに延び出した後、略直角に屈曲されていることにより、電動モータ１２がケース本体２６に組み込まれた状態下では、かかる給電用端子２２の基端部分が、ケース本体２６における端子カバー部４２の支持受台５４上に載置されると共に、給電用端子２２の屈曲せしめられた部分が、支持受台５４から上方に向かって突出位置せしめられるようになっている。
【００３３】
しかも、支持受台５４から突出せしめられた給電用端子２２には、上端縁部に開口して下方に所定長さで延びる差入溝７６が形成されている。この差入溝７６は、溝幅寸法が給電用端子２２の突出方向である上下方向で変化せしめられており、下部に形成された溝幅の小さい狭幅部７８と、上部の開口部分に形成された溝幅の大きい広幅部８０が、それらの間に形成されて溝幅が漸次に変化せしめられた中間部８２によって接続されている。ここにおいて、広幅部８０の溝幅寸法：Ｂａは、リード線２４の絶縁層を含む外径寸法よりも僅かに大きく設定されている。また、狭幅部７８の溝幅寸法：Ｂｂは、リード線２４の絶縁層を含む外径寸法よりは小さく、且つリード線２４の多数本の電線からなる線材全体の外径寸法よりも僅かに小さく設定されている。
【００３４】
そして、一対のリード線２４，２４は、ケース本体２６に組み付けられた電動モータ１２の給電用端子２２，２２に対して、図１２に示されている如く、各端子２２，２２の差入溝７６，７６に差し入れられた状態でセットされることとなる。なお、かかるセット状態において、ケース本体２６は、その他、前述の歯車減速機構１４やクラッチ機構１６，プーリ１８等が組み込まれる。
【００３５】
その後、ケース本体２６にケース蓋体２８を重ね合わせて、多数本のねじで相互に重ね合わせ方向に押圧密着させてケース１０を形成し、目的とするギヤードモータを得るようにされるが、それと同時に、端子カバー部４２に押圧部４４を嵌め込んで、端子嵌合部４０を形成せしめる。そこにおいて、端子カバー部４２に押圧部４４を嵌め込むと、押圧部４４に突設された各一対の押圧突片６６，６８が、端子カバー部４２の支持受台５４上に載置された給電用端子２２を板厚方向に挟んだ両側で、支持受台５４に向かって端子カバー部４２内に突入せしめられることとなる。
【００３６】
その結果、給電用端子２２の差入溝７６に差し入れられて刺し通されたリード線２４が、差入溝７６への差し通し部を挟んだ両側において、押圧突片６６，６８により支持受台５４側に押圧され、差入溝７６の下方に向かって押し込まれることとなる。そして、リード線２４が、差入溝７６の狭幅部７８まで至らしめられることにより、給電用端子２２における差入溝７６の両縁がリード線２４の絶縁層に切れ込んで内部にまで入り込み、リード線２４の電線に対して完全に接触する位置まで達するようになっている。これにより、リード線２４，２４が、電動モータ１２の給電用端子２２，２２に対して電気的に導通せしめられることとなる。
【００３７】
また、各リード線２４は、上述の如く先端部近くで給電用端子２２に導通せしめられると共に、接続用端子２２への導通部分よりも僅かに外方（図６中の左方）において、支持受台５４と押圧突片６６の間で径方向に挟圧保持せしめられる。その際、支持受台５４に突設された係止爪５８がリード線２４の絶縁被覆層に係入することにより、リード線２４に対して大きな固定力が発揮されるようになっている。
【００３８】
しかも、各リード線２４は、支持受台５４と押圧突片６６による挟圧保持部よりも更に外方で、端子カバー部４２の底部４６から周壁部４７に沿って、端子カバー部４２の内部で略直角に屈曲せしめられて、端子カバー部４２の開口部から外方に延び出されている。また、各リード線２４の端子カバー部４２からの引き出し部分では、端子カバー部４２に固設された保持部６０，６０と、押圧部４４に設けられた切欠部７０，７０によって位置決めされて、保持されているのである。これにより、端子接合部４０内において、電気モータ１２の給電用端子２２，２２に対するリード線２４，２４の接続が完成されている。
【００３９】
また、特に本実施形態では、かくの如くして組み立てられたギヤードモータは、図３〜４に示された状態から上下を反対にして、端子カバー部４２が略鉛直下方に向かって開口する状態で、洗濯機本体に装着固定されるようになっており、かかる装着状態下では、各リード線２４が、端子カバー部４２の開口部から下方に向かって延び出している。なお、端子カバー部４２の開口部から下方に延び出した各リード線２４は、その後、例えば図示されているように、ケース１０に設けられたクランプ部８４で保持されて、ケース１０の外周面に沿って位置決めされて取り回されることとなる。
【００４０】
上述の如き構造とされたギヤードモータにおいては、電動モータ１２を収容せしめたケース本体２６に対してリード線２４，２４を位置決めした後、ケース蓋体２８を組み合わせるだけの簡単な組み立て作業により、はんだ付けや溶接等の特別な作業や特別な加工装置を必要とすることなく、リード線２４，２４を電動モータ１２の給電用端子２２，２２に導通させて固定的な接合状態が容易に且つ確実に実現され得るのであり、従来のはんだ付けやスポット溶接のように高熱処理を必要としないことから、リード線の絶縁層の溶融等に起因する短絡等が防止されて絶縁性が高度に維持され得るのである。
【００４１】
しかも、リード線２４，２４と給電用端子２２，２２の接続部位は端子カバー部４２内に収容状態で位置せしめられることから、外部からの直接的な水の接触も回避され得て、高度な絶縁性能に基づく優れた安全性と信頼性が発揮され得ることとなる。
【００４２】
加えて、リード線２４，２４は、給電用端子２２，２２への接続部位よりも外方において、絶縁層で被覆された部分が、端子カバー部４２の挟圧部５６，５６と押圧部４４の押圧突片６６，６６の間で挟持されていると共に、それより更に外方で端子カバー部４２の底部４６から周壁部４８の立ち上がり部分に沿って略直角に屈曲せしめられた状態で端子カバー部４２と押圧部４４で挟持されていることから、リード線２４，２４が直接にケース１０に固定されており、リード線２４，２４の耐抜け力が充分に大きく確保され得ることに加えて、リード線２４，２４に及ぼされる外力がケース１０に逃がされて、リード線２４，２４と給電用端子２２，２２との接続部位への外力の作用が軽減乃至は回避され得るのであり、それによって、リード線２４，２４と給電用端子２２，２２の接続部位において一層優れた耐久性と信頼性が発揮され得るのである。
【００４３】
以上、本発明の実施形態について詳述してきたが、これはあくまでも例示であって、本発明は、かかる実施形態における具体的な記載によって何等限定的に解釈されるものでなく、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることも、言うまでもない。
【００４４】
【発明の効果】
上述の説明から明らかなように、本発明に従う構造とされた洗濯機用電動モータ内蔵ケースにおいては、電動モータの給電端子に対する給電用リード線の接続を、面倒な溶接やはんだ付け等を必要とすることなく、ケース内で簡便に、しかも優れた耐久性と信頼性をもって行うことが出来るのであり、また、例えば端子カバー部と押圧部で給電用リード線を直接に挟圧保持せしめることによって、給電端子に対する給電用リード線の接続部位への外力の集中的作用を回避せしめて接続部位の耐久性を更に向上させることも可能となる。加えて、電動モータの給電端子に対する給電用リード線の接続が、端子カバー部と押圧部で覆われることから、通電部位が保護されて水の降りかかり等に起因する漏電や短絡等の問題が効果的に防止され得るのである。
【図面の簡単な説明】
【図１】本発明の一実施形態としての洗濯機用のギヤードモータを示す正面図である。
【図２】図１に示されたギヤードモータの背面図である。
【図３】図１に示されたギヤードモータの側面図である。
【図４】図３における左端面図である。
【図５】図１に示されたギヤードモータにおいてケース蓋体を取り外した内部構造説明図である。
【図６】図１に示されたギヤードモータの要部を拡大して示す、図４におけるＶＩ−ＶＩ断面に相当する図である。
【図７】図１に示されたギヤードモータのケース本体を示す内面図である。
【図８】図７に示されたケース本体の外面図である。
【図９】図１に示されたギヤードモータのケース蓋体を示す内面図である。
【図１０】図９に示されたケース蓋体の外面図である。
【図１１】図１に示されたギヤードモータの要部の組立て説明図である。
【図１２】図１に示されたギヤードモータにおける電動モータの給電用端子に対するリード線の接続作業を説明するための説明図である。
【符号の説明】
１０　ケース
１２　電動モータ
２２　給電用端子
２４　リード線
２６　ケース本体
２８　ケース蓋体
４０　端子接合部
４２　端子カバー部
４４　押圧部
５４　支持受台
５６　挟圧部
５８　係止爪
６６　押圧突片
６８　押圧突片
７２　固定ねじ
７６　差入溝
７８　狭幅部
８０　広幅部
【図１】
2004141567.tif 000003
【図２】
2004141567.tif 000004
【図３】
2004141567.tif 000005
【図４】
2004141567.tif 000006
【図５】
2004141567.tif 000007
【図６】
2004141567.tif 000008
【図７】
2004141567.tif 000009
【図８】
2004141567.tif 000010
【図９】
2004141567.tif 000011
【図１０】
2004141567.tif 000012
【図１１】
2004141567.tif 000013
【図１２】
2004141567.tif 000014